(57)【要約】      （修正有）【課題】多数枚の書類をとじ具に綴じた時、書類の綴じ穴どうしを整列しやすくし、結果として書類を多数枚集積して綴じた状態でも、綴じ足の回転をスムースにできる加除自在とじ具を提供する。【解決手段】筐体背板の一部を綴じ足に沿って盛り上げ整列突起３２１を設け書類を綴じる時、書類の溝付き綴じ穴書類のハの字状開口部Ｈ３と整列突起３２１が嵌合すると、綴じ足綴じ部２２が綴じ穴Ｈ１のセンターにくるようにした。【選択図】図５
2014200987.tif 000002
【特許請求の範囲】
【請求項１】
天板と背板と底板からなる断面が略コの字状の筐体に、断面が扁平な綴じ足が、天板と底板との間で、９０度軸回転するように綴じ足を装着された紙葉類の加除自在とじ具に於いて、
綴じ足の実質的書類綴じ部全長に亘り、筐体背板に綴じ足回転軸に向かって、断面が略三角の頂部となる整列突起を設けたことを特徴とする綴じ具。
【請求項２】
整列突起が筐体背板の一部を折り曲げたことを特徴とする請求項１記載の綴じ具。
【請求項３】
整列突起頂部の断面が略９０度をなすことを特徴とする請求項１記載の綴じ具。
【発明の詳細な説明】
【技術分野】
【０００１】
本発明は、書類の抜き差しを行うとき、どの枚数目にも、又どの枚数目からも、その上
にある書類を一旦抜くことなく行える加除自在とじ具及びそれを用いた加除自在ファイルに関する。
【背景技術】
【０００２】
書類の抜き差しを、その上にある書類を一旦抜くことなく行える加除自在とじ具及び加除自在ファイルに関しては先行技術がある（特許文献１）。書類には専用パンチャーにより紙端部にハの字状に開口した溝付き綴じ穴を開け、加除自在とじ具の断面が扁平な綴じ足を書類の溝付き綴じ穴のハの字開口部分から綴じ穴に挿入し、綴じ穴中心に綴じ足が置かれた状態で、綴じ足を９０度直角に回転させることで書類を綴じ足から抜けないよう固定するものである。変角板の円弧溝と、綴じ足上端を嵌合し、変角板を水平方向に動かすことで、綴じ足を９０度直角に軸回転させるようになっている。溝付き綴じ穴の溝幅は綴じ足の厚みと略同等で、綴じ足幅は綴じ穴直径より僅かに短く、綴じ穴の中で回転出来る幅になっている。また溝付き綴じ穴の溝端は紙端にハの字状に開口しており、書類を綴じ足に挿入するときの誘いとして広がっている。
【０００３】
しかし、従来技術だけでは以下のような問題点があった。即ち、綴じる書類枚数が多くなると、書類綴じ穴どうしのズレにより綴じ足に対する有効綴じ穴径が狭くなり、結果として綴じ足の回転がきつくなり、時には全く動かなくなることがあった。
【０００４】
【特許文献１】特許第４３３３８４９
【発明の開示】
【発明が解決しようとする課題】
【０００５】
本発明が解決しようとしている課題は、加除自在とじ具と、専用パンチャーで溝付き綴じ穴を開けた書類との関係に於いて、多数枚の書類をとじ具に綴じた時、書類の綴じ穴どうしを整列しやすくすることであり、結果として書類を多数枚集積して綴じた状態でも、綴じ足の回転をスムースに行えるようにし、多数枚書類をファイル作業を、より円滑に行えるようにする事である。
【課題を解決するための手段】
【０００６】
第一の課題解決手段は、天板と背板と底板からなる断面が略コの字状の筐体に、断面が扁平な綴じ足が、天板と底板との間で、９０度軸回転するように綴じ足を装着された紙葉類の加除自在とじ具に於いて、綴じ足の実質的書類綴じ部全長に亘り、筐体背板に綴じ足回転軸に向かって、断面が略三角の頂部となる整列突起を設けたことを特徴とする綴じ具とする。
【０００７】
第二の課題解決手段は、整列突起が筐体背板の一部を折り曲げたことを特徴とする第一の課題解決手段記載の綴じ具とする。
【０００８】
第三の課題解決手段は、整列突起頂部の断面が略９０度をなすことを特徴とする第一の課題解決手段記載の綴じ具とする。
【発明の効果】
【０００９】
本発明の第一の課題解決手段により、綴じ足に最も近い部分の筐体の背板が綴じ足に沿って、綴じ足に向かって突起（整列突起）しているため、綴じ足に挿入された溝付き綴じ穴を開けた書類は、綴じ足が書類の溝を通過し、綴じ穴に挿入されると同時に溝付き綴じ穴のハの字状開口部が紙整列突起に嵌合し、自動的に決まった位置に整列させられる。また、多数枚の書類を綴じた状態で、たとえ書類が整列していなくても、書類全体を綴じ具背板側に手で押すか、またはファイルごと綴じ具を下になるように向ければ、書類は溝開口部のハの字部分が整列突起と嵌合し、書類は強制的に再整列させられ、書類の綴じ穴は書類がどれだけ多数枚であっても、ズレは修正され再整列させられる。綴じ足回転軸センターが綴じ穴センターに来るように整列突起、綴じ足、書類綴の位置関係を出しておけば、綴じ足の回転はいつでもスムースに行うことが可能となる。
【００１０】
本発明の第二の課題解決手段により、整列突起を別部材として筐体背板に設けなくても、筐体プレス時に背板の一部を整列突起として折り曲げることにより、整列突起を別部材として背板に設置するより位置精度、コスト共に優位となる。
【００１１】
本発明の第三の課題解決手段により、書類の溝付き綴じ穴の開口部もハの字状に９０度にすることで、書類と綴じ具整列突起との嵌合は一番深く、精度よく行われる。結果として書類の綴じ穴は綴じ足の中で、ズレのない整列状態が得られる。
【発明を実施するための最良の形態】
【００１２】
以下に本発明を２穴綴じ具に用いた実施例で説明する。図１は本綴じ具１の斜視図である。筐体３は天板３１、背板３２、底板３３、傾斜部３４、３５からなり、筐体断面は略コの字状をしている。天板３１と底板３３には綴じ足２が変角板４の水平面方向への移動により綴じ足変角部２１と変角板４の円弧溝４１との嵌合関係により、９０度直角に回転するよう取り付けられている。図１では、２本の綴じ足２の綴じ部２２は背板面３２に対して直角で、綴じ足部２２どうしでは平面で向き合う位置関係にある。
【００１３】
ここまでは先行技術で知られた範囲である。本発明では筐体３の背板３２の一部が整列突起３２１として、綴じ足綴じ部２２に沿って突き出ている。この整列突起３２１は断面が三角状の頂点を持ち、頂部全長は綴じ足綴じ部２２全長に亘り、綴じ足２軸中心から背板面３２への垂線上で突起している。整列突起３２１頂部と綴じ足綴じ部２２との位置関係は、書類に開けられた溝付き綴じ穴のハの字状開口部との相互関係にあり、図５以降で詳述する。
【００１４】
尚、本実施例においては変角板４の上に筐体天板３１に取り付けられたカバーがあるが、本発明内容とは関係がなく、表示することで本質的な変角板４と綴じ足２との連携的挙動を図として描けないため、省略した。カバーは変角板４が筐体から外れるのを防ぎ、かつ安全、美観対策である。本実施例全てに於いてカバーは省略した。また、筐体３、変角板４は薄鋼板を使用しており、断面図以外は厚さを省略している。綴じ足２は十分厚い鋼板なので、斜視図においても、厚さを表現している。更に綴じ具１は筐体３の背板３２又は底板３３のどちらかをファイル台紙に鋲で固定しファイルとするが、本発明を説明する本質的問題ではないので、図を分かりやすくするためファイル台紙との関係は全て省略した。
【００１５】
図２は、図１のＸ１−Ｘ１断面図を示す。背板３２の一部である整列突起３２１と綴じ足綴じ部２２との位置関係が明確に示されている。整列突起３２１の頂部は綴じ足綴じ部２２の中心から背板３２への垂線上にある。また、筐体底板３３の一部が綴じ足台３３１となっており、その中心に綴じ足回転穴３３１Ｈが開いており、その中に綴じ足綴じ部２２がある。２本の綴じ足綴じ部２２は面／面で向かい合っている。尚、整列突起３２１頂部断面は勿論９０度となっている。
【００１６】
図３は図１に於いて変角板４のつまみ部４２を手でつまみ、矢印水平方向に引いた結果の斜視図を示す。綴じ足２の変角部２１は綴じ足綴じ部２２に対して４５度捻れており、変角板４を引くことにより、円弧溝４１に嵌合している変角部２１は９０度回転し、綴じ足部２２は背板に対して直角から、平行になるまで回転するようになっている。綴じ足２は図１０にその詳細を示す。  
【００１７】
図４は、図３のＸ２−Ｘ２断面図を示す。図２との相違点は綴じ足綴じ部２２断面が直角に回転しているだけである。
【００１８】
図５は図１の綴じ具１の状況に、専用パンチャーでハの字状開口部を持つ溝付き綴じ穴Ｈを開けた集積書類Ｐを綴じ具１に綴じようとしている状況を示す斜視図である。溝付き綴じ穴Ｈは、綴じ足綴じ部２２が最終的に収まる綴じ穴Ｈ１と、裂開溝Ｈ２と、紙端にハの字状に広がった開口部Ｈ３からなる。本実施例では、開口部Ｈ３は９０度である。２本の綴じ足綴じ部２２は面／面が平行になっており、溝付き綴じ穴Ｈを迎え入れる状況になっている。
【００１９】
図６は集積書類Ｐが綴じ具１に収まった状況を示す斜視図である。綴じ足綴じ部２２が、集積書類Ｐの紙端ハの字状開口部Ｈ３から裂開溝Ｈ２に導かれ、最終的に綴じ穴Ｈ１に収まる様子を示す。この際、書類のハの字状開口部Ｈ１が、筐体３の背板３２の一部として構成されている紙整列突起３２１突起頂部にピッタリ嵌合するように、綴じ具１及び書類の溝付き綴じ穴Ｈとの位置関係になっている。更にこの時、綴じ足綴じ部２２は綴じ穴Ｈ１のセンターに収まる関係になっている。図５に於いて、集積書類Ｐは、通常書類を揃えてあり、取扱者はその積もりで図６の状況に移行するが、多くの場合、僅かに溝付き綴じ穴Ｈは厳密には不揃いであることが多い。従来技術では、多数枚の書類を一度に綴じようとしたとき、この僅かな紙の不揃いが、綴じ足２の回転を悪くする最大要因に成っていた。しかし、本発明により設けた筐体３の背板３２の一部として構成された整列突起３２１が、集積書類Ｐのハの字状開口部Ｈ３とピッタリ嵌合する位置関係にあるため、集積書類Ｐの不揃いを綴じ具１に挿入する事により修正、整列させられる。
【００２０】
図７は、図６に於けるＸ３−Ｘ３断面図を示す。綴じ足綴じ部２２が、集積書類Ｐの綴じ穴Ｈ１センターに収まっている様子と、集積書類Ｐのハの字状開口部Ｈ３が筐体３の背板３２の一部としての紙整列突起３２１にピッタリ嵌合している様子が分かる。この整列突起３２１と集積書類Ｐのハの字状開口部Ｈ３との嵌合作用により、集積書類Ｐの不揃いは整列させられてしまう。本図では、書類の綴じ穴Ｈ１の中に、書類の下にある筐体底板３３に設けられた綴じ足回転部３３１の綴じ足回転穴３３１Ｈが見えている。尚、断面図に限り、筐体３に用いた薄鋼板の厚みを、背板３２、紙整列突起３２１に於いて図示した。
ここまでで分かるとおり、整列突起３２１と書類Ｐのハの字状開口部Ｈ３との嵌合は、お互いに９０度である事が、嵌合度合いも深く、嵌合間口も広く、最も合理的角度であることが分かる。
【００２１】
図８は、図７で、綴じ足２を直角に回転させ、集積書類Ｐが綴じ足綴じ部２２に綴じられた状態を示す図７の続きを示す。この綴じ足回転が軽く、スムースに行くのは、集積書類Ｐが整列突起３２１により整列させられ、綴じ足綴じ部２２が、集積書類Ｐの綴じ穴Ｈ１のセンターにあるからなのである。図８の状態でファイルした書類と整列突起３２１との嵌合がずれても、変角板を動かす前に集積書類Ｐを手で筐体３側に押してやれば、再び書類Ｐは整列突起３２１により再整列し、綴じ足２は軽く回転することが出来る。綴じ足綴じ部２２の幅は書類の綴じ穴Ｈ１直径より僅かに小さく、綴じ足が綴じ穴Ｈ１のセンターにあれば、軽く回転するが、集積書類Ｐの綴じ穴Ｈ１が紙毎にずれてくれば、集積書類Ｐの綴じ穴Ｈ１の集積体としての有効綴じ穴直径は狭くなり、綴じ足の回転を悪くする。この筐体３に設けられた整列突起３２１の効果は絶大である。この意味から、整列突起３２１は必ずしも背板３２の一部である必要はなく、整列突起３２１の役目をする突起が背板３２に後加工されたものでも良く、また、断面形状も書類の開口部Ｈ３との嵌合がピッタリ行われれば三角形でなく、例えば円の一部でも良い。即ち、整列突起、綴じ足、書類の溝付き綴じ穴の３つの関係が上記目的に合ったものであれば、他の嵌合形態もあり得ることが理解できよう。
【図面の簡単な説明】
【００２２】
【図１】綴じ具１斜視図（綴じ足オープン位置）
【図２】図１のＸ１−Ｘ１断面図
【図３】綴じ具１斜視図（綴じ足クローズ位置）
【図４】図３のＸ２−Ｘ２断面図
【図５】集積書類Ｐを綴じ具１に綴じようとする斜視図
【図６】集積書類Ｐを綴じ具１綴じ足に挿入した斜視図
【図７】図６のＸ３−Ｘ３断面図
【図８】図７で、綴じ足（綴じ部２２）をクローズ位置に回転
【図９】綴じ足回転穴
【図１０】綴じ足詳細図
【符号の説明】
【００２３】
１              綴じ具
２              綴じ足
２１            綴じ足変角部
２２            綴じ足綴じ部
２３            綴じ足折り返し部
３              筐体
３１            筐体天板
３２            筐体背板
３２１          整列突起
３３            筐体底板
３３１          綴じ足台  
３３１Ｈ        綴じ足回転穴
３３１ＨＳ      綴じ足回転穴ストッパー部
３４            筐体斜め板
３５            筐体斜め板
４              変角板
４１            円弧溝
４２            つまみ部
Ｐ              集積書類
Ｈ              溝付き綴じ穴
Ｈ１            綴じ穴
Ｈ２            裂開溝
Ｈ３            ハの字状開口部
【図１】
2014200987.tif 000003
【図２】
2014200987.tif 000004
【図３】
2014200987.tif 000005
【図４】
2014200987.tif 000006
【図５】
2014200987.tif 000007
【図６】
2014200987.tif 000008
【図７】
2014200987.tif 000009
【図８】
2014200987.tif 000010
【図９】
2014200987.tif 000011
【図１０】
2014200987.tif 000012